(57)【要約】      （修正有）【課題】注文情報が入力された画像データファイルが格納されたデータフォルダに係るプリント情報が変更可能であるか否かを、注文情報を入力する操作者に知らせることを可能とする。【解決手段】写真処理装置が受信した画像データファイルは、画像データ記憶部によって、一括送信された画像データファイル群が１つのデータフォルダに格納されるように記憶される（Ｓ３０３）。ステータス情報判断部が、各データフォルダについて、当該データフォルダに含まれる画像データファイルを用いたプリント処理が開始されたか否かを判断する。プリント処理が開始されたと判断された場合には、ステータス情報変更部がステータス情報記憶部に記憶されている当該データフォルダのステータス情報を変更すると共に、ステータス情報送信部がステータス情報記憶部に記憶されているステータス情報をプリント注文受付装置に送信する（Ｓ３０７）。【選択図】図１８
2006284650.tif 000002
【特許請求の範囲】
【請求項１】
写真プリントの注文を受け付け、写真プリントを作成するプリントシステムであって、
記録媒体に記憶されている複数の画像データファイルを読み出すための読み出し部と、
前記読み出し部によって読み出された複数の前記画像データファイルに係る複数の画像のうち少なくとも１つの画像を含む注文画面を表示するディスプレイと、
前記ディスプレイに表示されている画像に係るプリント枚数を含む注文情報を入力するための入力部と、
一又は複数のデータフォルダのいずれかに格納されるように、注文情報が付与された一又は複数の画像に係る各画像データファイルを記憶する画像データ記憶手段と、
注文情報を記憶する注文情報記憶手段と、
注文情報が付与された前記一又は複数の画像に対する注文が確定されるよりも前に、注文情報が付与された前記一又は複数の画像のうちの少なくとも１つの画像に係る画像データファイルを前記画像データ記憶手段に記憶させると共に、前記画像データ記憶手段に記憶された一又は複数の画像データファイルに係る注文情報を前記注文情報記憶手段に記憶させるように制御する制御手段と、
前記画像データ記憶手段に設けられた各データフォルダについて、当該データフォルダに含まれた前記画像データファイルのうち、プリント枚数を１以上とする注文情報が付与された画像に係る画像データファイルを用いたプリント処理が開始されたか否かに関するステータス情報を記憶するステータス情報記憶手段と、
前記ステータス情報記憶手段に記憶されているステータス情報に基づいて、前記注文情報記憶手段に記憶された注文情報及び前記データフォルダの格納内容の少なくともいずれか一方を変更可能か否かを判断する判断手段とを有していることを特徴とするプリントシステム。
【請求項２】
前記データフォルダに含まれているプリント枚数を１以上とする注文情報が付与された画像に係る画像データファイルを用いたプリント処理が開始された場合に、前記ステータス情報記憶手段に記憶されているステータス情報を変更するステータス情報変更手段をさらに有していることを特徴とする請求項１に記載のプリントシステム。
【請求項３】
前記データフォルダに係る一又は複数の画像データファイル及び当該画像データファイルに付与された注文情報からなるプリント情報が前記入力部が操作されることによって更新された場合に、当該データフォルダのステータス情報がプリント未開始を指示しているのであれば、前記注文情報記憶手段に記憶された注文情報及び前記データフォルダの格納内容の少なくともいずれか一方を変更するプリント情報変更手段をさらに有していることを特徴とする請求項１または２に記載のプリントシステム。
【請求項４】
前記ステータス情報記憶手段が、前記画像データ記憶手段に設けられた各データフォルダについて、当該データフォルダに含まれたプリント枚数を１以上とする注文情報が付与された画像に係る画像データファイルを用いたプリント処理が開始されたか否か、及び、プリント処理が開始されていない場合においてプリント処理開始可か否かに関するステータス情報を記憶し、
前記判断手段が、前記画像データ記憶手段に設けられた各データフォルダについて、当該データフォルダに含まれたプリント枚数を１以上とする注文情報が付与された画像に係る画像データファイルを用いたプリント処理が開始されたか否か、及び、プリント処理が開始されていない場合において当該データフォルダに係る一又は複数の画像データファイル及び当該画像データファイルに付与された注文情報からなるプリント情報が前記入力部が操作されることによって更新されたか否かを判断し、
プリント処理が開始されたと前記判断手段が判断した場合には、前記ステータス情報変更手段が、前記ステータス情報記憶手段に記憶されたステータス情報をプリント処理開始済みに変更すると共に、プリント処理未開始且つ前記プリント情報が前記入力部が操作されることによって更新されたと前記判断手段が判断した場合には、前記ステータス情報変更手段が、前記ステータス情報記憶手段に記憶されたステータス情報をプリント処理開始不可に変更することを特徴とする請求項２または３に記載のプリント処理システム。
【請求項５】
前記データフォルダに係る一又は複数の画像データファイル及び当該画像データファイルに付与された注文情報からなるプリント情報が前記入力部が操作されることによってプリント枚数の増加、プリントされる画像データファイルの追加又はプリント画像の修正を伴うように更新された場合に、当該データフォルダのステータス情報がプリント開始済みを指示しているのであれば、前記画像データ記憶手段が、前記入力部が操作されることによって更新された前記プリント情報に係る画像データファイルを新たなフォルダに格納することを特徴とする請求項１〜４のいずれか１項に記載のプリントシステム。
【請求項６】
前記データフォルダに係る一又は複数の画像データファイル及び当該画像データファイルに付与された注文情報からなるプリント情報が前記入力部が操作されることによって更新された場合に、当該データフォルダのステータス情報がプリント開始済みを指示しているのであれば、その旨を前記入力部の操作者に報知する報知手段をさらに有していることを特徴とする請求項１〜５のいずれか１項に記載のプリントシステム。
【請求項７】
前記ステータス情報記憶手段が、前記画像データ記憶手段に設けられた各データフォルダについて、当該データフォルダに含まれたプリント枚数を１以上とする注文情報が付与された画像に係る画像データファイルを用いたプリント処理が開始されたか否か、及び、開始されたプリント処理が終了したか否かに関するステータス情報を記憶し、
前記判断手段が、前記画像データ記憶手段に設けられた各データフォルダについて、当該データフォルダに含まれたプリント枚数を１以上とする注文情報が付与された画像に係る画像データファイルを用いたプリント処理が開始されたか否か、及び、開始されたプリント処理が終了したか否かを判断し、
プリント処理が開始された又は終了したと前記判断手段が判断した場合には、前記ステータス情報変更手段が、前記ステータス情報記憶手段に記憶されたステータス情報を変更することを特徴とする請求項１〜６のいずれか１項に記載のプリントシステム。
【請求項８】
前記画像データ記憶手段に設けられた各データフォルダのフォルダ名が、前記ステータス情報記憶手段に記憶されたステータス情報に応じて変更されることを特徴とする請求項１〜７のいずれか１項に記載のプリントシステム。
【請求項９】
前記ステータス情報記憶手段が、前記画像データ記憶手段に設けられた各データフォルダのフォルダ名の記憶手段を兼ねていることを特徴とする請求項１〜７のいずれか１項に記載のプリントシステム。
【発明の詳細な説明】
【技術分野】
【０００１】
本発明は、写真プリントの注文を受け付け、写真プリントを作成するプリントシステムに関する。
【背景技術】
【０００２】
近年、ＤＰ店の店頭に設置されており、顧客から写真プリントの注文を受け付けるプリント注文受付装置と、ＤＰ店の店内に設置されていると共に、データ伝送ネットワークによってプリント注文受付装置と接続されており、プリント注文受付装置から送信された注文内容に基づいて写真プリントを作成する写真処理装置とから構成されるプリントシステムが知られている（特許文献１参照）。
【０００３】
係るプリントシステムに備えられるプリント注文受付装置は、タッチパネル式のディスプレイを有している。そして、顧客が自ら持参した画像データファイルが記憶されたメディアをプリント注文受付装置にセットすると、当該メディアに記憶された画像データファイルに対応するサムネイル画像がディスプレイに表示される。顧客は、ディスプレイに表示されたサムネイル画像を確認し、タッチパネルを介して、当該画像の補正値やプリント枚数等の注文情報を入力することが可能となっている。
【０００４】
顧客がプリントを注文した画像データファイル及び当該画像データファイルに係る注文情報からなるプリント情報は、写真処理装置に送信される。このとき、写真処理装置の記憶部では、プリント注文受付装置から一括送信されたプリント情報に含まれる画像データファイル群を１つのデータフォルダに格納する。そして、写真処理装置は、記憶部に記憶されている複数の画像データファイルのプリント処理をデータフォルダ単位で行う。
【特許文献１】特開２００３−１２１９４６号公報
【発明の開示】
【発明が解決しようとする課題】
【０００５】
ところで、プリント注文受付装置から写真処理装置にプリント情報が送信された後に、顧客が補正値の変更、プリント画像の追加・削減、プリント枚数の変更等を希望する場合がある。ここで、プリント処理が既に開始されているデータフォルダに係るプリント情報は変更することができない。また、かかるプリントシステムでは、プリント注文受付装置を操作している顧客は、修正を希望するプリント情報に係る画像データファイル群のプリント処理を写真処理装置が開始しているか否かが分からない。したがって、たとえプリント処理が未だ開始されていない場合であっても、プリント情報を変更することができるか否かを顧客が知ることができないという問題がある。
【０００６】
そこで、本発明の目的は、注文情報が入力された画像データファイルが格納されたデータフォルダに係るプリント情報が変更可能であるか否かを、注文情報を入力する操作者に知らせることを可能とするプリントシステムを提供することである。
【課題を解決するための手段及び効果】
【０００７】
本発明のプリントシステムは、写真プリントの注文を受け付け、写真プリントを作成するプリントシステムであって、記録媒体に記憶されている複数の画像データファイルを読み出すための読み出し部と、前記読み出し部によって読み出された複数の前記画像データファイルに係る複数の画像のうち少なくとも１つの画像を含む注文画面を表示するディスプレイと、前記ディスプレイに表示されている画像に係るプリント枚数を含む注文情報を入力するための入力部と、一又は複数のデータフォルダのいずれかに格納されるように、注文情報が付与された一又は複数の画像に係る各画像データファイルを記憶する画像データ記憶手段と、注文情報を記憶する注文情報記憶手段とを有している。さらに、本発明のプリントシステムは、注文情報が付与された前記一又は複数の画像に対する注文が確定されるよりも前に、注文情報が付与された前記一又は複数の画像のうちの少なくとも１つの画像に係る画像データファイルを前記画像データ記憶手段に記憶させると共に、前記画像データ記憶手段に記憶された一又は複数の画像データファイルに係る注文情報を前記注文情報記憶手段に記憶させるように制御する制御手段と、前記画像データ記憶手段に設けられた各データフォルダについて、当該データフォルダに含まれた前記画像データファイルのうち、プリント枚数を１以上とする注文情報が付与された画像に係る画像データファイルを用いたプリント処理が開始されたか否かに関するステータス情報を記憶するステータス情報記憶手段と、前記ステータス情報記憶手段に記憶されているステータス情報に基づいて、前記注文情報記憶手段に記憶された注文情報及び前記データフォルダの格納内容の少なくともいずれか一方を変更可能か否かを判断する判断手段とを有している。
【０００８】
なお、本発明において、「注文が確定される」とは、単に注文画面の切換操作が行われることを意味するのではなく、顧客が写真プリントを発注するための最終的な操作が行われることを意味するとする。また、「注文情報が付与された画像」とは、プリント枚数を１以上とする注文情報が付与された画像を意味する場合と、プリント枚数を１以上とする注文情報が付与された画像に加えて、プリント枚数を０とする注文情報が付与された画像を意味する場合とがある。
【０００９】
この構成によると、画像データ記憶手段に設けられた各データフォルダについて、当該画像データフォルダに格納されている画像データファイルに係る注文情報、及び当該画像データフォルダの格納内容の少なくともいずれか一方を変更可能であるか否かを、入力部によって注文情報の入力を行う操作者に知らせることが可能となる。
【００１０】
本発明のプリントシステムでは、前記データフォルダに含まれているプリント枚数を１以上とする注文情報が付与された画像に係る画像データファイルを用いたプリント処理が開始された場合に、前記ステータス情報記憶手段に記憶されているステータス情報を変更するステータス情報変更手段をさらに有していることが好ましい。この構成によると、ステータス情報記憶手段に記憶されているステータス情報をプリント未開始から、プリント開始済みに変更することができる。
【００１１】
本発明のプリントシステムでは、前記データフォルダに係る一又は複数の画像データファイル及び当該画像データファイルに付与された注文情報からなるプリント情報が前記入力部が操作されることによって更新された場合に、当該データフォルダのステータス情報がプリント未開始を指示しているのであれば、前記注文情報記憶手段に記憶された注文情報及び前記データフォルダの格納内容の少なくともいずれか一方を変更するプリント情報変更手段をさらに有していてもよい。
【００１２】
この構成によると、入力部によって注文情報の入力を行う操作者が変更を希望するプリント情報に係るデータフォルダのステータス情報がプリント未開始を指示している場合には、作成されるプリントのプリント情報を変更することができる。
【００１３】
本発明のプリントシステムは、前記ステータス情報記憶手段が、前記画像データ記憶手段に設けられた各データフォルダについて、当該データフォルダに含まれたプリント枚数を１以上とする注文情報が付与された画像に係る画像データファイルを用いたプリント処理が開始されたか否か、及び、プリント処理が開始されていない場合においてプリント処理開始可か否かに関するステータス情報を記憶し、前記判断手段が、前記画像データ記憶手段に設けられた各データフォルダについて、当該データフォルダに含まれたプリント枚数を１以上とする注文情報が付与された画像に係る画像データファイルを用いたプリント処理が開始されたか否か、及び、プリント処理が開始されていない場合において当該データフォルダに係る一又は複数の画像データファイル及び当該画像データファイルに付与された注文情報からなるプリント情報が前記入力部が操作されることによって更新されたか否かを判断し、プリント処理が開始されたと前記判断手段が判断した場合には、前記ステータス情報変更手段が、前記ステータス情報記憶手段に記憶されたステータス情報をプリント処理開始済みに変更すると共に、プリント処理未開始且つ前記プリント情報が前記入力部が操作されることによって更新されたと前記判断手段が判断した場合には、前記ステータス情報変更手段が、前記ステータス情報記憶手段に記憶されたステータス情報をプリント処理開始不可に変更することが好ましい。
【００１４】
この構成によると、入力部によって注文情報の入力を行う操作者が変更を希望するプリント情報に係るデータフォルダに含まれる画像データファイルのプリント処理が開始されないようにすることができる。
【００１５】
本発明のプリントシステムは、前記データフォルダに係る一又は複数の画像データファイル及び当該画像データファイルに付与された注文情報からなるプリント情報が前記入力部が操作されることによってプリント枚数の増加、プリントされる画像データファイルの追加又はプリント画像の修正を伴うように更新された場合に、当該データフォルダのステータス情報がプリント開始済みを指示しているのであれば、前記画像データ記憶手段が、前記入力部が操作されることによって更新された前記プリント情報に係る画像データファイルを新たなフォルダに格納してもよい。
【００１６】
この構成によると、入力部によって注文情報の入力を行う操作者が、プリント枚数の増加、プリントされる画像データファイルの追加又はプリント画像の修正を伴うようなプリント情報の変更を希望する場合には、当該プリント情報に係るデータフォルダのステータス情報がプリント開始済みを指示していても、新たなデータフォルダに格納された画像データファイルに係る写真プリントを作成することで、入力部によって注文情報の入力を行う操作者が希望するプリント情報で写真プリントを作成することができる。
【００１７】
本発明のプリントシステムは、前記データフォルダに係る一又は複数の画像データファイル及び当該画像データファイルに付与された注文情報からなるプリント情報が前記入力部が操作されることによって更新された場合に、当該データフォルダのステータス情報がプリント開始済みを指示しているのであれば、その旨を前記入力部の操作者に報知する報知手段をさらに有していることが好ましい。
【００１８】
プリント開始済みの場合は、入力部によって注文情報の入力を行う操作者が、プリント枚数の減少やプリント画像の削除を伴うようなプリント情報の変更を希望したとしても、作成されるプリントのプリント情報を変更することはできない。また、入力部によって注文情報の入力を行う操作者が、画像の修正を伴う注文情報の変更を希望する場合、プリント開始済みの画像データファイルについては、その変更を反映させることができない。この構成によると、プリント開始済みであることを入力部によって注文情報の入力を行う操作者に報知することで、上記のような、プリント枚数の減少、プリント画像の削除又は画像の修正を伴うプリント情報の変更を行う際に、入力部によって注文情報の入力を行う操作者に注意を促すことができる。
【００１９】
本発明のプリントシステムは、前記ステータス情報記憶手段が、前記画像データ記憶手段に設けられた各データフォルダについて、当該データフォルダに含まれたプリント枚数を１以上とする注文情報が付与された画像に係る画像データファイルを用いたプリント処理が開始されたか否か、及び、開始されたプリント処理が終了したか否かに関するステータス情報を記憶し、前記判断手段が、前記画像データ記憶手段に設けられた各データフォルダについて、当該データフォルダに含まれたプリント枚数を１以上とする注文情報が付与された画像に係る画像データファイルを用いたプリント処理が開始されたか否か、及び、開始されたプリント処理が終了したか否かを判断し、プリント処理が開始された又は終了したと前記判断手段が判断した場合には、前記ステータス情報変更手段が、前記ステータス情報記憶手段に記憶されたステータス情報を変更することが好ましい。
【００２０】
例えば、入力部によって注文情報の入力を行う操作者が、プリント処理中であるデータフォルダに係るプリント情報を、プリント枚数の減少、プリント画像の削除、または画像の修正を伴うように変更することを希望する場合には、作成される写真プリントに操作者の変更希望を反映させることはできない。したがって、無駄な写真プリントを作成してしまう。この構成によると、入力部によって注文情報の入力を行う操作者が変更を希望するプリント情報に係るデータフォルダがプリント処理中であるか否かを知ることができる。したがって、入力部によって注文情報の入力を行う操作者が、プリント処理中であるデータフォルダに係るプリント情報に対して、プリント枚数の減少、プリント画像の削除、または画像の修正を伴うように変更することを希望する場合に、プリント処理を中断させ、無駄な写真プリントが作成されないようにすることができる。その結果、無駄な写真プリントを作成してしまうことによるコストを低減させることができる。
【００２１】
本発明のプリントシステムは、前記画像データ記憶手段に設けられた各データフォルダのフォルダ名が、前記ステータス情報記憶手段に記憶されたステータス情報に応じて変更されてもよい。
【００２２】
本発明のプリントシステムは、前記ステータス情報記憶手段が、前記画像データ記憶手段に設けられた各データフォルダのフォルダ名の記憶手段を兼ねていてもよい。
【００２３】
これらの構成によると、データフォルダのフォルダ名から、当該データフォルダのステータス情報を容易に確認することが可能となる。
【発明を実施するための最良の形態】
【００２４】
以下、本発明の好適な一実施の形態について、図面を参照しつつ説明する。図１は、本実施の形態に係るプリントシステムの概略構成を示す図である。
【００２５】
図１に示すように、プリントシステム１は、顧客から写真プリントの注文を受け付ける２台のプリント注文受付装置１０１と、写真プリントを作成する写真処理装置２０１とを備えている。本実施の形態のプリントシステム１は、ＤＰ店の既設の写真処理装置２０１に、イーサネット（登録商標）ケーブル３１０及びハブ３２０を含むデータ伝送ネットワーク３０１により、２台のプリント注文受付装置１０１を接続することによって構築されたものである。
【００２６】
プリントシステム１では、顧客が、持参したデジタルカメラで撮影された画像データファイルを保存したスマートメディア、コンパクトフラッシュ（登録商標）、メモリスティック（登録商標）や、個人で画像データファイルを保存したＣＤ−Ｒ、ＭＯ等の記録媒体（以降、まとめて「メディア」と称する）をプリント注文受付装置１０１にセットすると、プリント注文受付装置１０１が、セットされたメディアから画像データファイルを読み出すと共に、これらの画像データファイル及びこれらの画像データファイルに対して顧客が入力したプリントサイズ、プリント枚数、及補正値（後で詳述する）等の注文情報を写真処理装置２０１に送信し、写真処理装置２０１が、プリント注文受付装置１０１から受信した画像データファイル及び注文情報に基づいて写真プリントを作成する。
【００２７】
プリント注文受付装置１０１は、図２に示すように、プリント注文受付装置１０１を制御するコントローラ１２０を格納する筐体１１０と、筐体１１０の上面に配置されており、プリント注文受付装置１０１に関する様々な情報を表示して操作者（顧客）に告知するディスプレイ１４０とを備えている。ディスプレイ１４０の表面には、注文情報等を入力するためのタッチパネル１４１が形成されている。また、筐体１１０の前面（図２における紙面左手前側の面）には、各種メディアにそれぞれ対応する複数のメディアドライブ１５０が設けられている。メディアドライブ１５０は、セットされたメディアに記録された画像データファイルを読み出す。さらに、筐体１１０の上面には、受付証を印字する受付証印字プリンタ１６０が設けられている。
【００２８】
ここで、図３に、コントローラ１２０の主要部の構成を示す。図３に示すように、コントローラ１２０には、データ伝送ネットワーク３０１に接続するためのネットワークインターフェイス１３９が接続されている。また、コントローラ１２０は、番号付与部１２１、画像データ記憶部１２２、表示制御部１２３、注文情報記憶部１２４、顧客情報記憶部１２５、注文情報書換部１２６、プリント情報送信部１２７、変更許可部１２８、画像再送信許可部１２９、報知判断部１３０、及び中断情報送信部１３１を有している。
【００２９】
番号付与部１２１は、メディアドライブ１５０によって読み出された複数の画像データファイル、及び当該画像データファイルに対して顧客が入力した注文情報に、注文番号と枝番号とからなる整理番号をそれぞれ付与する。なお、注文情報には、当該注文情報に係る画像データファイルと同一の整理番号が付与される。ここで、注文番号とは、顧客によって一括注文された複数の画像データファイル（顧客が持参したメディアに記録された複数の画像データファイル）に共通する番号である。また、枝番号は、後述する注文画面４０（図１１、図１２参照）に同時に表示される複数のサムネイル画像に係る画像データファイル群に共通する番号である。ここで、本実施の形態では、注文画面４０に同時に表示可能なサムネイル画像の数は８コマである。したがって、８コマ分の画像に対応する画像データファイルに対して、１つの画像データファイル群として共通の枝番号が付与される。なお、後で詳述する画像再送信許可部１２９によって再送信が許可された画像データファイル群は、以前送信された際とは異なる枝番号に関連付けされる。
【００３０】
画像データ記憶部１２２は、メディアドライブ１５０によって読み出された複数の画像データファイル、及び番号付与部１２１が各画像データファイルに付与した整理番号を記憶する。ここで、画像データ記憶部１２２のディレクトリ構成を図１７に示す。図１７に示すように、本実施の形態では、メディアからImage001.jpg〜Image020.jpgの２０個の画像データファイルが読み出される。そして、画像データ記憶部１２２は、２０個の画像データファイルを、Image001.jpg〜Image008.jpg、Image009.jpg〜Image016.jpg、Image017.jpg〜Image020.jpgの３つの画像データファイル群に分けてデータフォルダに格納する。各画像データファイル群が格納されるデータフォルダのフォルダ名は、番号付与部１２１によって画像データファイルに付与された整理番号となっている。ここで、図１７に示すように、画像データファイルImage001.jpg〜Image020.jpgの注文番号はｏ０００００１２であり、３つの画像データファイル群Image001.jpg〜Image008.jpg、Image009.jpg〜Image016.jpg、Image017.jpg〜Image020.jpgの枝番号はそれぞれ０１、０２、０３である。
【００３１】
表示制御部１２３は、ディスプレイ１４０に、後で詳述する初期画面１０（図８参照）、メディアセット案内画面２０（図９参照）、プリントサイズ選択画面３０（図１０参照）、注文画面４０（図１１、図１２参照）、メッセージ４７（図１３参照）、名前入力画面５０（図１４参照）、注文内容確認画面６０（図１５参照）、及び受付証発行画面７０（図１６参照）を表示する。また、表示制御部１２３は、８コマのサムネイル画像を含む注文画面４０を、画像データ記憶部１２２に記憶されている複数の画像データファイルに係る複数の画像のうち、未だ注文画面４０に表示されていない画像を含む別の注文画面４０に切り換える。
【００３２】
注文情報記憶部１２４は、顧客がタッチパネル１４１を用いて入力した各画像データファイルに対する注文情報、及び番号付与部１２１が注文情報に付与した整理番号を記憶する。注文情報記憶部１２４は、顧客が注文する写真プリントのサイズを記憶するプリントサイズ記憶部１２４ａと、画像データ記憶部１２２に記憶されている複数の画像データファイルに係る複数の画像のプリント枚数をそれぞれ記憶するプリント枚数記憶部１２４ｂと、各画像データファイルのＲ（赤）、Ｇ（緑）、Ｂ（青）の各色及び濃度の補正値をそれぞれ記憶する補正値記憶部１２４ｃとを有している。なお、本実施の形態では、プリントサイズ記憶部１２４ａには、デフォルトでＬ版サイズでプリントされるように記憶されている。また、プリント枚数記憶部１２４ｂには、デフォルトで各画像が１枚ずつプリントされるように記憶されている。さらに、補正値記憶部１２４ｃには、デフォルトでいずれの補正値もゼロと記憶されている。顧客情報記憶部１２５は、図１４に示す名前入力画面５０で顧客が入力した名前を記憶する。
【００３３】
注文情報書換部１２６は、プリントサイズ書換部１２６ａと、プリント枚数書換部１２６ｂと、補正値書換部１２６ｃとを有している。プリントサイズ書換部１２６ａは、プリントサイズ記憶部１２４ａに記憶されているプリントサイズを、図１０に示すプリントサイズ選択画面３０で顧客が選択したプリントサイズに書き換える。プリント枚数書換部１２６ｂは、プリント枚数記憶部１２４ｂに記憶されている各画像のプリント枚数を、図１１、図１２に示す注文画面４０で各画像に対して顧客が入力したプリント枚数に書き換える。補正値書換部１２６ｃは、補正値記憶部１２４ｃに記憶されている各画像データファイルの補正値を、図１１、図１２に示す注文画面４０で各画像に対して顧客が入力した補正値に書き換える。
【００３４】
プリント情報送信部１２７は、タッチパネル１４１を用いて、８コマのサムネイル画像を含む注文画面４０を別のサムネイル画像を含む別の注文画面４０に切り換えるための操作が顧客によって行われた際、及び注文画面４０を名前入力画面５０に切り換えるための操作が顧客によって行われた際に、タッチパネル１４１の操作が行われた時点で注文画面４０に表示されていたサムネイル画像に係る画像データファイル群、それらのサムネイル画像に対して顧客が入力した注文情報、及びその画像データファイル群に対して付与された整理番号（以降、まとめて「プリント情報」と称する）を写真処理装置２０１に送信する。なお、プリント不要の画像データファイル、即ちプリント枚数記憶部１２４ｂにゼロ枚と記憶されている画像データファイルは、写真処理装置２０１に送信されない。
【００３５】
変更許可部１２８は、写真処理装置に２０１においてプリント注文受付装置１０１から送信された画像データファイル群を格納するデータフォルダに係るプリント情報が、顧客が注文画面４０を操作することによって変更された場合に、当該データフォルダのステータス情報（後で詳述する）がプリント未開始を指示しているのであれば、プリント情報の変更信号の写真処理装置２０１への送信を許可する。なお、本実施の形態におけるプリント情報の変更信号とは、顧客が注文画面４０を操作することによって注文情報の変更を行った場合には、変更された注文情報のことであり、顧客が注文画面４０を操作することによってプリント画像の追加を行った場合には、追加された画像データファイルのことである。また、変更された注文情報と、追加された画像データファイルとの両方であってもよい。
【００３６】
画像再送信許可部１２９は、写真処理装置に２０１においてプリント注文受付装置１０１から送信された画像データファイル群を格納するデータフォルダに係るプリント情報が、顧客が注文画面４０を操作することによって、プリント枚数の増加、プリントされる画像データファイルの追加又は補正値の増減を伴うように変更された場合に、当該データフォルダのステータス情報（後で詳述する）がプリント開始済みを指示しているのであれば、プリント情報が変更された画像データファイル群及び当該画像データファイルに係る注文情報の写真処理装置２０１への送信を許可する。
【００３７】
報知判断部１３０は、写真処理装置に２０１においてプリント注文受付装置１０１から送信された画像データファイル群を格納するデータフォルダに係るプリント情報が、顧客が注文画面４０を操作することによって変更された場合に、当該データフォルダのステータス情報（後で詳述する）がプリント開始済みを指示しているか否かを判断し、プリント開始済みを指示しているのであれば、その旨を顧客に報知するメッセージ４７（図１３参照）をディスプレイ１４０に表示させるように、表示制御部１２３に指示を与える。
【００３８】
中断情報送信部１３１は、写真処理装置２０１においてプリント注文受付装置１０１から送信された画像データファイル群を格納するデータフォルダに係るプリント情報が、顧客が注文画面４０を操作することによって、プリント枚数の減少、プリント画像の削除又は補正値の増減を伴うように変更された場合に、当該データフォルダのステータス情報（後で詳述する）がプリント中を指示しているのであれば、写真処理装置２０１のオペレータに当該データフォルダに係るプリント処理の中断を促すメッセージ（図２３参照）が記載されたテキストファイル（以降、単に「中断情報」と記載する場合がある）を写真処理装置２０１に送信する。
【００３９】
次に、図４を参照しつつ、写真処理装置２０１の概略構成について説明する。図４に示すように、写真処理装置２０１は、インターフェイス部２１０と、フィルムスキャナ２２０と、コントローラ２３０と、プリンタプロセッサ２５０とを有している。
【００４０】
インターフェイス部２１０では、写真処理装置２０１とそれを操作するオペレータとの間の情報のやり取りが行われる。インターフェイス部２１０は、写真処理装置２０１に関する様々な情報を表示してオペレータに告知するディスプレイ２１１と、オペレータが写真処理装置２０１に対して指示を与えるキーボード２１２やマウス２１３からなる入力デバイスとを有している。
【００４１】
フィルムスキャナ２２０は、写真フィルムを副走査方向（図４において矢印Ａで示す方向）に一定速度で搬送するフィルムキャリア２２１と、フィルムキャリア２２１によって搬送される写真フィルムに光を照射する光源２２２と、写真フィルムを透過した光を受光するように配置されており、写真フィルムのコマ画像を光電変換するためのＣＣＤラインセンサユニット２２６と、ＣＣＤラインセンサユニット２２６の出力信号を処理する図示しない処理回路とを有している。
【００４２】
ＣＣＤラインセンサユニット２２６は、約５０００個の受光部を写真フィルムの幅方向に配列したＣＣＤラインセンサを３列に並べて備えており、各ＣＣＤラインセンサの受光面にはそれぞれ赤色、緑色、青色のカラーフィルタが形成されて、写真フィルムのコマ画像を色分解して検出する。処理回路は、ＣＣＤラインセンサユニット２２６の出力アナログ信号を増幅した後Ａ／Ｄ変換を行って出力する。従って、フィルムスキャナ２２０では、フィルムキャリア２２１に写真フィルムがセットされると、搬送される写真フィルム上のコマ画像が順次読み取られて、赤色、緑色、青色毎のデジタル画像データファイルがコントローラ２３０に対して送信される。
【００４３】
コントローラ２３０では、写真処理装置２０１の制御が行われる。コントローラ２３０には、データ伝送ネットワーク３０１に接続するためのネットワークインターフェイス２４９が接続されている。さらに、コントローラ２３０には、ＣＤ−Ｒ（Compact Disc-Recordable：１度だけ書き込み可能な追記型ＣＤ）に対してデータの読み書きを行うＣＤ−Ｒドライブ２６１が接続されている。
【００４４】
なお、本実施の形態の写真処理装置２０１では、ＣＤ−Ｒドライブ２６１が接続されていることにより、顧客が持参したメディアに記録されている画像データファイル、またはフィルムスキャナ２２０から取り込まれた画像データファイルをＣＤ−Ｒに書き込むサービスを提供することができるが、本発明に関連しないので、説明は省略する。
【００４５】
ここで、図５に、コントローラ２３０の主要部の構成を示す。図５に示すように、コントローラ２３０は、データ前処理部２３１、画像データ記憶部２３２、注文情報記憶部２３３、ステータス情報記憶部２３４、ステータス情報判断部２３５、ステータス情報変更部２３６、ステータス情報送信部２３７、プリント情報変更部２３８、中断情報記憶部２３９、画像処理部２４０、搬送制御部２４１、切断制御部２４２、及び露光制御部２４３を有している。
【００４６】
データ前処理部２３１は、プリント注文受付装置１０１から受信したプリント情報を、画像データファイルと注文情報とに区分けする。そして、画像データファイルは、対応する整理番号と共に画像データ記憶部２３２に転送される。また、注文情報は、対応する整理番号と共に注文情報記憶部２３３に転送される。
【００４７】
画像データ記憶部２３２は、データ前処理部２３１から転送された画像データファイル及び整理番号を記憶する。注文情報記憶部２３３は、データ前処理部２３１から転送された注文情報及び整理番号を記憶する。
【００４８】
ここで、図２０に、写真処理装置２０１の画像データ記憶部２３２のディレクトリ構成を示す。図２０に示すように、本実施の形態では、２台のプリント注文受付装置１０１から送信された画像データファイルがそれぞれ格納される２つのデータフォルダ（ＳＴ−１、ＳＴ−２）が構成されている。各データフォルダ（ＳＴ−１、ＳＴ−２）内の構成は、プリント注文受付装置１０１の画像データ記憶部１２２のディレクトリ構成と同様であり、注文画面４０に同時に表示される複数のサムネイル画像に係る画像データファイル群（プリント情報送信部１２７によって一括送信される画像データファイル群）が１つのデータフォルダに格納される。
【００４９】
なお、図２２（Ｂ）に示すように、画像再送信許可部１２９によって送信が許可された画像データファイルImage021.jpgは、新たなデータフォルダo0000012-04に格納される。
【００５０】
ただし、図２０に示すように、データフォルダのフォルダ名は、後で詳述するステータス情報記憶部２３４に記憶されているステータス情報「ｐ」、「ｏ」、「ｓ」、または「ｅ」と、番号付与部１２１によってデータフォルダに付与された整理番号とからなる。したがって、データフォルダのフォルダ名は、ステータス情報記憶部２３４に記憶されているステータス情報に応じて変更される。なお、図２０に示す各データフォルダに係るステータス情報は、いずれも「ｏ」である。
【００５１】
ステータス情報記憶部２３４は、画像データ記憶部２３２に設けられた各データフォルダについて、データフォルダに含まれる画像データファイルを用いたプリント処理が開始されたか否か、プリント処理が開始されていない場合においてプリント処理開始可か否か、及び、プリント処理開始された場合において開始されたプリント処理が終了したか否かに関するステータス情報を記憶する。具体的には、プリント処理未開始であって、プリント処理開始可の場合には「ｏ」、プリント処理開始不可の場合には「ｐ」と記憶される。また、プリント処理開始済みであって、プリント処理未終了（すなわち、プリント処理中）の場合には「ｓ」、プリント処理終了済みの場合には「ｅ」と記憶される。なお、ステータス情報記憶部２３４には、デフォルトで、各フォルダのステータス情報は「ｏ」と記憶されている。
【００５２】
ステータス情報判断部２３５は、画像データ記憶部２３２に設けられた各データフォルダについて、データフォルダに含まれる画像データファイルを用いたプリント処理が開始されたか否か、プリント注文受付装置１０１から変更信号が送信されたか否か、及び、プリント処理開始された場合において、開始されたプリント処理が終了したか否かを判断する。
【００５３】
ステータス情報変更部２３６は、ステータス情報判断部２３５によって、プリント注文受付装置１０１から変更信号が送信されたと判断された場合には、ステータス情報記憶部２３６に記憶されているステータス情報を「ｐ」に変更する。また、ステータス情報判断部２３５によって、プリント処理開始済みであってプリント処理中であると判断された場合には、ステータス情報記憶部２３６に記憶されているステータス情報を「ｓ」に変更し、プリント処理終了と判断された場合には「ｅ」に変更する。
【００５４】
ステータス情報送信部２３７は、ステータス情報記憶部２３４に記憶された各データフォルダについてのステータス情報を、プリント注文受付装置１０１に送信する。なお、本実施の形態では、ステータス情報送信部２３７は、ステータス情報変更部２３６によって、ステータス情報記憶部２３４に記憶された各データフォルダのステータス情報が変更された際に、当該データフォルダのステータス情報を送信する。
【００５５】
プリント情報変更部２３８は、プリント注文受付装置１０１から送信された変更信号に基づいて、注文情報記憶部２３３に記憶された注文情報、及び画像データ記憶部２３２に設けられたデータフォルダの格納内容の少なくともいずれか一方を変更する。具体的には、変更信号に、顧客によって変更された注文情報が含まれている場合には、注文情報記憶部２３３に記憶された注文情報を変更する。また、変更信号に、顧客によって追加された画像データファイルが含まれている場合には、画像データ記憶部２３２に設けられたデータフォルダに画像データファイルを追加する。
【００５６】
ここで、図２１を用いて、４つの画像データファイルImage017.jpg〜Image020.jpgが格納されているデータフォルダo0000012-03に画像データファイルを追加する場合について説明する。まず、ステータス情報変更部２３６によってステータス情報が、プリント未開始且つプリント処理開始可から、プリント未開始且つプリント処理開始不可に変更され、フォルダ名が、「o000012-03」（図２１（Ａ））から「p0000012-03」（図２１（Ｂ））に変わる。そして、画像データファイルImage021.jpgが追加された後、再びステータス情報変更部２３６によってステータス情報が、プリント未開始且つプリント処理開始不可から、プリント未開始且つプリント処理開始可に変更され、フォルダ名が、「p000012-03」（図２１（Ｂ））から「o0000012-03」（図２１（Ｃ））に変わる。
【００５７】
中断情報記憶部２３９は、プリント注文受付装置１０１から送信されたプリント処理の中断を促すメッセージが記載されたテキストファイルを記憶する。なお、例えばプリント処理中であるデータフォルダs0000012-03のプリント処理の中断を促すメッセージが記載されたテキストファイル0000012-03.txtは、図２２（Ｃ）に示すように、データフォルダs0000012-03と同階層に格納される。
【００５８】
画像処理部２４０は、画像データ記憶部２３２に記憶されている画像データファイルに対して、必要に応じてプリントサイズに合致した画像サイズに変換するための処理や鮮鋭化処理などの各種の画像処理を施す。
【００５９】
搬送制御部２４１は、注文情報記憶部２３３に記憶されている注文情報通りに写真プリントが作成されるように、後述する搬送ローラ対２５５の動作を制御する。切断制御部２４２は、注文情報記憶部２３３に記憶されている注文情報通りに写真プリントが作成されるように、後述するカッター２５６の動作を制御する。露光制御部２４３は、画像処理部２４０によって画像処理が施された画像データファイルに係る画像の潜像が印画紙に形成されるように、後述する露光ユニット２５８を制御する。
【００６０】
プリンタプロセッサ２５０は、コントローラ２３０から送信された画像処理済みの画像データファイルに基づいて、印画紙に対して露光を行うプリンタ２５１と、露光済みの印画紙に対して現像、漂白、安定化などの処理が施されるプロセッサ２５２と、プロセッサ２５２から排出された印画紙を乾燥させる仕上げ処理部２５３とを有している。
【００６１】
プリンタ２５１は、印画紙を収納するペーパーマガジン２５４と、印画紙をペーパーマガジン２５４から引き出しつつ搬送する複数の搬送ローラ対２５５と、搬送ローラ対２５５によって搬送される印画紙をプリントサイズにカットするカッター２５６と、カッター２５６によってカットされた印画紙に対して露光処理を施し、画像処理部２４０によって画像処理が施された画像データファイルに対応する画像の潜像を形成する露光ユニット２５８とを有している。なお、露光ユニット２５８は、例えばレーザ露光方式、ＰＬＺＴ方式、ＣＲＴ方式など適宜のものを採用することができる。
【００６２】
そして、プリンタ２５１において潜像が形成された印画紙は、プロセッサ２５２を経て仕上げ処理部２５３へと搬送され、仕上がりの写真プリントとして排出される。
【００６３】
なお、本実施の形態の写真処理装置２０１では、データ伝送ネットワーク３０１によって接続されている２台のプリント注文受付装置１０１からそれぞれ送信される画像データファイルのプリント処理を並列して行うことができる。また、２台のプリント注文受付装置１０１からそれぞれ信される画像データファイルのプリント処理に加えて、フィルムスキャナ２２０から送信される画像データファイルのプリント処理を並列して行うこともできる。
【００６４】
ここで、本実施の形態のプリントシステム１において、写真プリントを作成する手順について説明する。まず、図６及び図７を用いて、プリント注文受付装置１０１における処理手順について説明する。図６は、プリント注文受付装置１０１において写真プリントの注文を受け付ける手順を示すフローチャートである。図７は、図６に示すフローチャート中に行われる割り込み処理の手順を示すフローチャートである。
【００６５】
まず、表示制御部１２３によって、ディスプレイ１４０に、図８に示すような初期画面１０が表示される（ステップＳ１０１）。初期画面１０には、図８に示すように、写真プリントの注文を希望する顧客に対して、タッチパネル１４１となっているディスプレイ１４０の画面に触れるように促すメッセージが表示される。そして、顧客がディスプレイ１４０の画面に触れたか否かが判断される（ステップＳ１０２）。
【００６６】
顧客がディスプレイ１４０の画面に触れていないと判断された場合には（ステップＳ１０２：ＮＯ）、ディスプレイ１４０の画面に触れたと判断されるまで、ステップＳ１０２の判断が繰り返される。一方、顧客がディスプレイ１４０の画面に触れたと判断された場合には（ステップＳ１０２：ＹＥＳ）、表示制御部１２３によって、ディスプレイ１４０に、図９に示すようなメディアセット案内画面２０が表示される（ステップＳ１０３）。メディアセット案内画面２０には、図９に示すように、顧客に対して、持参したメディアをメディアドライブ１５０にセットし、画面右下に表示されているＯＫボタン２１を押すように促すメッセージが表示される。
【００６７】
その後、後で詳述する割り込み処理が開始される（ステップＳ１０４）。引き続いて、メディアセット案内画面２０のＯＫボタン２１が操作されたか否かが判断される（ステップＳ１０５）。ＯＫボタン２１が操作されていないと判断された場合には（ステップＳ１０５：ＮＯ）、ＯＫボタン２１が操作されたと判断されるまで、ステップＳ１０５の判断が繰り返される。一方、ＯＫボタン２１が操作されたと判断された場合には（ステップＳ１０５：ＹＥＳ）、メディアドライブ１５０によって、セットされたメディアに記録された画像データファイルが読み出される（ステップＳ１０６）。さらに、番号付与部１２１によって、メディアから読み出された複数の画像データファイルに対して、整理番号がそれぞれ付与される（ステップＳ１０７）。
【００６８】
次いで、表示制御部１２３によって、ディスプレイ１４０に、図１０に示すようなプリントサイズ選択画面３０が表示される（ステップＳ１０８）。プリントサイズ選択画面３０には、図１０に示すように、Ｌ版、２Ｌ版、六つ切の３つのプリントサイズの大きさ、単価、基本料金がそれぞれ表示される。また、Ｌ版選択ボタン３１、２Ｌ版選択ボタン３２、及び六つ切選択ボタン３３が表示される。
【００６９】
続いて、Ｌ版選択ボタン３１、２Ｌ版選択ボタン３２、または六つ切選択ボタン３３のいずれか１つが操作され、プリントサイズが選択されたか否かが判断される（ステップＳ１０９）。プリントサイズが選択されていないと判断された場合には（ステップＳ１０９：ＮＯ）、プリントサイズが選択されたと判断されるまで、ステップＳ１０９の判断が繰り返される。一方、プリントサイズが選択されたと判断された場合には（ステップＳ１０９：ＹＥＳ）、プリントサイズ書換部１２６ａによって、プリントサイズ記憶部１２４ａに記憶されているプリントサイズが選択されたプリントサイズに書き換えられる（ステップＳ１１０）。
【００７０】
その後、メディアから読み出された複数の画像データファイルが、画像データ記憶部１２２に記憶される（ステップＳ１１１）。このとき、各画像データファイルは、番号付与部１２１によって付与された整理番号に対応するフォルダ名のデータフォルダに格納される。
【００７１】
次いで、表示制御部１２３によって、ディスプレイ１４０に、図１１に示すような注文画面４０が表示される（ステップＳ１１２）。注文画面４０には、図１１に示すように、８コマのサムネイル画像と各サムネイル画像のプリント枚数とが表示される。また、各サムネイル画像のプリント枚数を増加させる増加ボタン４１及び減少させる減少ボタン４２が表示される。さらに、注文画面４０の右上には、各サムネイル画像に係る画像データファイルに対して、Ｒ、Ｇ、Ｂの各色及び濃度の補正値をそれぞれ増加させる増加ボタン４３ａ、４３ｂ、４３ｃ、４３ｄ、及び減少させる減少ボタン４４ａ、４４ｂ、４４ｃ、４４ｄが表示されている。なお、補正値を入力する際には、まず、タッチパネル１４１の補正値を入力するサムネイル画像が表示されている部分に触れる。このとき、触れられた画像は、図１１の注文画面４０の左上のサムネイル画像のように、選択された状態となる。この状態で、増加ボタン４３ａ〜４３ｄまたは減少ボタン４４ａ〜４４ｄを操作することによって補正値を入力することができる。加えて、注文画面４０の右下には、注文画面４０を未だディスプレイ１４０に表示されていないサムネイル画像を含む別の注文画面４０に切り換えるための切換ボタン４５が表示される。
【００７２】
なお、メディアから読み読み出され、画像データ記憶部１２２に記憶された複数の画像データファイルに係る複数のサムネイル画像のうち、未だディスプレイ１４０に表示されていないサムネイル画像が８コマ以下である場合には、図１２に示すような最終ページの注文画面４０が表示される。注文画面４０の最終ページには、図１１に示す（最終ページでない）注文画面４０と同様に、サムネイル画像（８コマ以下）と、各サムネイル画像のプリント枚数と、プリント枚数を増減させる増加ボタン４１及び減少ボタン４２と、補正値を増減させる増加ボタン４３ａ〜４３ｄ及び減少ボタン４４ａ〜４４ｄが表示される。さらに、最終ページの注文画面４０の右下には、図１２に示すように、ＯＫボタン４６が表示される。
【００７３】
続いて、増加ボタン４１または減少ボタン４２が操作されて、プリント枚数が入力されたか否かが判断される（ステップＳ１１３）。プリント枚数の入力が行われていないと判断された場合には（ステップＳ１１３：ＮＯ）、後述するステップＳ１１４を省略してステップＳ１１５に進む。一方、プリント枚数の入力が行われたと判断された場合には（ステップＳ１１３：ＹＥＳ）、プリント枚数書換部１２６ｂによって、プリント枚数記憶部１２４ｂに記憶されているプリント枚数が入力されたプリント枚数に変更される（ステップＳ１１４）。
【００７４】
さらに、増加ボタン４３ａ〜４３ｄまたは減少ボタン４４ａ〜４４ｄが操作されて、補正値が入力されたか否かが判断される（ステップＳ１１５）。補正値の入力が行われていないと判断された場合には（ステップＳ１１５：ＮＯ）、後述するステップＳ１１６を省略してステップＳ１１７に進む。一方、補正値の入力が行われたと判断された場合には（ステップＳ１１５：ＹＥＳ）、補正値書換部１２６ｃによって、補正値記憶部１２４ｃに記憶されている補正値が入力された補正値に変更される（ステップＳ１１６）。
【００７５】
その後、切換ボタン４５（またはＯＫボタン４６）が押されたか否かが判断される（ステップＳ１１７）。切換ボタン４５（またはＯＫボタン４６）が押されていないと判断された場合には（ステップＳ１１７：ＮＯ）、ステップＳ１１３に戻り、再びプリント枚数の入力が行われたか否かが判断される。一方、切換ボタン４５（またはＯＫボタン４６）が押されたと判断された場合には（ステップＳ１１７：ＹＥＳ）、注文画面４０に表示されているサムネイル画像に対応するプリント情報が写真処理装置２０１へ送信済みであるか否かが判断される（ステップＳ１１８）。
【００７６】
写真処理装置２０１へ未送信であると判断された場合には（ステップＳ１１８：ＮＯ）、切り換えボタン４５（またはＯＫボタン４６）が押された時点で表示されていた注文画面４０に含まれる８コマのサムネイル画像に対応するプリント注文情報が、すぐにプリント情報送信部１２７によって写真処理装置２０１に送信される（ステップＳ１１９）。その後、後述するステップＳ１３０に進む。
【００７７】
一方、写真処理装置２０１へ送信済みであると判断された場合には（ステップＳ１１８：ＹＥＳ）、注文情報記憶部１２４に記憶されている注文情報が、以前送信した際の注文情報と変わっているか否かが判断される（ステップＳ１２０）。以前送信した際の注文情報と変わっていないと判断された場合には（ステップＳ１２０：ＮＯ）、後述するステップＳ１３０に進む。また、以前送信した際の注文情報と変わっていると判断された場合には（ステップＳ１２０：ＹＥＳ）、写真処理装置２０１から送信されたステータス情報に基づいて、注文画面４０に表示されているサムネイル画像に係る画像データファイルのプリント処理が開始済みであるか否かが、報知判断部１３０によって判断される（ステップＳ１２１）。
【００７８】
プリント処理が未開始であると判断された場合には（ステップＳ１２１：ＮＯ）、変更許可部１２８がプリント情報の変更信号の写真処理装置２０１への送信を許可し、変更信号が送信される（ステップＳ１２２）。その後、後述するステップＳ１３０に進む。一方、プリント処理開始済みであると判断された場合には（ステップＳ１２１：ＹＥＳ）、報知判断部１３０の指示に基づいて、表示制御部１２３が、ディスプレイ１４０に、図１３に示すような、顧客にプリント処理が開始済みであることを報知するメッセージ４７、ＯＫボタン４８、及びキャンセルボタン４９を表示させる（ステップＳ１２３）。
【００７９】
その後、キャンセルボタン４９が操作されたか否かが判断される（ステップＳ１２４）。キャンセルボタン４９が操作されたと判断された場合には（ステップＳ１２４：ＹＥＳ）、後述するステップＳ１３０に進む。また、キャンセルボタン４９が操作されていないと判断された場合には（ステップＳ１２４：ＮＯ）、ＯＫボタン４８が操作されたか否かが判断される（ステップＳ１２５）。ＯＫボタン４８が操作されていないと判断された場合には（ステップＳ１２５：ＮＯ）、ステップＳ１２４に戻って、再びキャンセルボタン４９が操作されたか否かの判断が行われる。一方、ＯＫボタン４８が操作されたと判断された場合には（ステップＳ１２５：ＹＥＳ）、写真処理装置２０１から送信されたステータス情報に基づいて、注文画面４０に表示されているサムネイル画像に係る画像データファイルのプリント処理が終了したか否かが判断される（ステップＳ１２６）。
【００８０】
プリント処理が終了したと判断された場合には（ステップＳ１２６：ＹＥＳ）、後述するステップＳ１２７、Ｓ１２８を省略してステップＳ１２９に進む。また、プリント処理が終了していないと判断された場合には（ステップＳ１２６：ＮＯ）、ステップＳ１１３、Ｓ１１５において、プリント枚数の減少、プリント画像の削除、または補正値の変更を含むような注文情報の変更が行われたか否かが判断される（ステップＳ１２７）。プリント枚数の減少、プリント画像の削除、または補正値の変更を含むような注文情報の変更が行われなかったと判断された場合には、後述するステップＳ１２８を省略してステップＳ１２９に進む。一方、プリント枚数の減少、プリント画像の削除、または補正値の変更を含むような注文情報の変更が行われたと判断された場合には（ステップＳ１２７：ＹＥＳ）、中断情報送信部１３１によって、写真処理装置２０１のオペレータに当該注文情報に対応するデータフォルダに係るプリント処理の中断情報が写真処理装置２０１に送信される（ステップＳ１２８）。
【００８１】
続いて、ステップＳ１１３、Ｓ１１５において、プリント枚数の増加、プリントされる画像データファイルの追加、または補正値の変更を含むような注文情報の変更が行われたか否かが判断される（ステップＳ１２９）。プリント枚数の増加、プリントされる画像データファイルの追加、または補正値の変更を含むような注文情報の変更が行われていないと判断された場合には（ステップＳ１２９：ＮＯ）、後述するステップＳ１３０に進む。また、プリント枚数の増加、プリントされる画像データファイルの追加、または補正値の変更を含むような注文情報の変更が行われたと判断された場合には（ステップＳ１２９：ＹＥＳ）、上述したステップＳ１１９に進み、プリント情報送信部１２７によって、変更された注文情報に係るプリント情報が写真処理装置２０１に送信される。
【００８２】
その後、ディスプレイ１４０に表示されている注文画面４０が最終ページであるか否かが判断される（ステップＳ１３０）。注文画面４０が最終ページでないと判断された場合には（ステップＳ１３０：ＮＯ）、注文画面４０が、画像データ記憶部１２２に記憶された複数の画像データファイルに係る複数のサムネイル画像のうち、未だディスプレイ１４０に表示されていないサムネイル画像を含む別の注文画面４０に切り換えられる（ステップＳ１３１）。そして、上述のステップＳ１１３に戻り、再びプリント枚数が入力されたか否かが判断される。
【００８３】
一方、注文画面４０が最終ページであると判断された場合には（ステップＳ１３０：ＹＥＳ）、表示制御部１２３によって、ディスプレイ１４０に、図１４に示すような名前入力画面５０が表示される（ステップＳ１３２）。名前入力画面５０には、図１４に示すように、名前を入力する入力キー５１と、入力キー５１から入力された名前を表示する表示部５２とが表示される。また、名前入力画面５０の右下には、ＯＫボタン５３が表示される。
【００８４】
そして、顧客が入力キー５１を用いて名前を入力し、ＯＫボタン５３を押したか否かが判断される（ステップＳ１３３）。ＯＫボタン５３が押されていないと判断された場合には（ステップＳ１３３：ＮＯ）、ＯＫボタン５３が押されたと判断されるまで、ステップＳ１３３での判断が繰り返される。一方、ＯＫボタン５３が押されたと判断された場合には（ステップＳ１３３：ＹＥＳ）、名前入力画面５０で入力された名前が、顧客情報記憶部１２５に記憶される（ステップＳ１３４）。
【００８５】
続いて、表示制御部１２３によって、ディスプレイ１４０に、図１５に示すような注文内容確認画面６０が表示される（ステップＳ１３５）。注文内容確認画面６０には、図１５に示すように、顧客の名前、顧客がプリントを注文した画像データファイルに関連付けられた注文番号及び枝番号、プリントサイズ、プリント枚数、料金等が表示される。また、注文内容確認画面６０の右下には、ＯＫボタン６１が表示される。
【００８６】
ここで、顧客が、注文内容確認画面６０に表示された内容を確認し、ＯＫボタン６１を押したか否かが判断される（ステップＳ１３６）。ＯＫボタン６１が押されていないと判断された場合には（ステップＳ１３６：ＮＯ）、ＯＫボタン６１が押されたと判断されるまで、ステップＳ１３６の判断が繰り返される。一方、ＯＫボタン６１が押されたと判断された場合には（ステップＳ１３６：ＹＥＳ）、表示制御部１２３によって、ディスプレイ１４０に、図１６に示すような受付証発行画面７０が表示される（ステップＳ１３７）。受付証発行画面７０には、図１６に示すように、顧客に対してメディアドライブ１５０からメディアを取り出すように促すメッセージと、受付証を発行していることを告知するメッセージとが表示される。続いて、受付証印字プリンタ１６０によって、受付証が発行される（ステップＳ１３８）。
【００８７】
次いで、図７を用いて、図６のフローチャートのステップＳ１０４で開始される割り込み処理の手順について説明する。ここで行われる割り込み処理は、図９〜図１２、図１４、図１５に示す、メディアセット案内画面２０、プリントサイズ選択画面３０、注文画面４０、名前入力画面５０、及び注文内容確認画面６０の右下にそれぞれ表示される戻るボタン９１と、左下にそれぞれ表示される中止ボタン９２との操作に関する処理であり、図６のフローチャートのステップＳ１０５〜ステップＳ１３６の処理と並行して行われる。
【００８８】
まず、戻るボタン９１が操作されたか否かが判断される（ステップＳ２０１）。戻るボタン９１が操作されたと判断された場合には（ステップＳ２０１：ＹＥＳ）、表示制御部１２３によって、ディスプレイ１４０に表示される画面が、直前に表示していた画面に切り換えられる（ステップＳ２０２）。具体的には、例えば、１ページ目の注文画面４０の戻るボタン９１が操作された場合には、プリントサイズ選択画面３０に切り換えられる。また、例えば、１ページ目でない注文画面４０の戻るボタン９１が操作された場合には、直前に表示されていた注文画面４０に切り換えられる。
【００８９】
そして、ステップＳ２０２で切り換えられた画面が、初期画面１０であるか否か判断される（ステップＳ２０３）。初期画面１０であると判断された場合には（ステップＳ２０３：ＹＥＳ）、割り込み処理が終了する。また、初期画面１０でないと判断された場合には（ステップＳ２０３：ＮＯ）、上述のステップＳ２０１に戻り、再び戻るボタン９１の操作が行われたか否かの判断が行われる。
【００９０】
一方、戻るボタン９１が操作されていないと判断された場合には（ステップＳ２０１：ＮＯ）、中止ボタン９２が操作されたか否かが判断される（ステップＳ２０４）。中止ボタン９２が操作されたと判断された場合には（ステップＳ２０４：ＹＥＳ）、表示制御部１２３によって、ディスプレイ１４０に表示される画面が、初期画面１０に切り換えられる（ステップＳ２０５）。また、中止ボタン９２が操作されなかったと判断された場合には（ステップＳ２０４：ＮＯ）、ステップＳ２０１に戻って、再び戻るボタン９１が操作されたか否かの判断が繰り返される。
【００９１】
このように、割り込み処理は、ディスプレイ１４０にメディアセット案内画面２０、プリントサイズ選択画面３０、注文画面４０、名前入力画面５０、または注文内容確認画面６０が表示されなくなるまで行われる。
【００９２】
次に、図１８及び図１９を用いて、写真処理装置２０１における処理手順について説明する。図１８は、写真処理装置２０１において写真プリントを作成する手順、より詳細には、プリント注文受付装置１０１から一括送信された画像データファイル群に係る写真プリントを作成する手順を示すフローチャートである。図１９は、図１８に示すフローチャート中に行われる割り込み処理の手順を示すフローチャートである。
【００９３】
まず、プリント注文受付装置１０１からプリント情報を受信する（ステップＳ３０１）。次に、プリント情報が、データ前処理部２３１によって、画像データファイル群と注文情報とに区分けされる（ステップＳ３０２）。そして、画像データファイルは整理番号と共に画像データ記憶部２３２転送／記憶され、注文情報は整理番号と共に注文情報記憶部２３３に転送／記憶される（ステップＳ３０３）。このとき、プリント注文受付装置１０１から一括送信された画像データファイル群は、１つのデータフォルダに格納される。
【００９４】
ここで、後で詳述する割り込み処理が開始される（ステップＳ３０４）。続いて、画像処理部２４０によって、画像データ記憶部２３２に記憶された画像データファイルに対して、各種画像処理が施される（ステップＳ３０５）。
【００９５】
その後、複数の搬送ローラ対２５５によって、印画紙の搬送が開始される。（ステップＳ３０６）。そして、ステータス情報記憶部２３４に記憶されているステップＳ３０３で画像データファイル群が格納されたデータフォルダのステータス情報が、ステータス情報変更部２３６によって、プリント処理未開始且つプリント処理開始可を意味する「ｏ」から、プリント処理開始済み且つプリント処理未終了を意味する「ｓ」に変更されると共に、ステータス情報送信部２３７によって、プリント注文受付装置１０１に送信される（ステップＳ３０７）。
【００９６】
次いで、そして、カッター２５６によって、印画紙が、注文情報記憶部２３３に記憶されている注文情報に含まれるプリントサイズに切断される（ステップＳ３０８）。さらに、露光ユニット２５８によって、露光処理が施され、画像処理済みの画像データファイルに係る画像の潜像が形成される（ステップＳ３０９）。そして、ステップＳ３０９において、全ての画像データファイルに係る画像の露光処理が完了した後、ステータス情報記憶部２３４に記憶されているステップＳ３０３で画像データファイル群が格納されたデータフォルダのステータス情報が、ステータス情報変更部２３６によって、プリント処理開始済み且つプリント処理未終了を意味する「ｓ」から、プリント処理終了を意味する「ｅ」に変更されると共に、ステータス情報送信部２３７によって、プリント注文受付装置１０１に送信される（ステップＳ３１０）。
【００９７】
続いて、潜像が形成された印画紙が、プリンタ２５１からプロセッサ２５２に送り込まれ、現像・漂白・安定化などの処理が施される（ステップＳ３１１）。その後、画像が顕在化した印画紙が、プロセッサ２５２から仕上げ処理部２５３に送り込まれ、乾燥処理が施される（ステップＳ３１２）。そして、印画紙は、写真プリントとして写真処理装置２０１から排出される（ステップＳ３１３）。
【００９８】
次いで、図１９を用いて、図１８のフローチャートのステップＳ３０４で開始される割り込み処理の手順について説明する。ここで行われる割り込み処理は、顧客によってプリント情報の変更が行われ、プリント注文受付装置１０１からプリント情報の変更信号またはプリント処理の中断情報が送信された際に写真処理装置２０１で行われる処理である。
【００９９】
まず、ステータス情報判断部２３５によって、プリント注文受付装置１０１から送信されたプリント情報の変更信号を受信したか否かが判断される（ステップＳ４０１）。変更信号を受信していないと判断された場合には（ステップＳ４０１：ＮＯ）、後述するステップＳ４０２〜ステップＳ４０４を省略して、ステップＳ４０５に進む。一方、変更信号を受信したと判断された場合には（ステップＳ４０１：ＹＥＳ）、ステータス情報記憶部２３４に記憶されている図１８のステップＳ３０３で画像データファイル群が格納されたデータフォルダのステータス情報が、ステータス情報変更部２３６によって、プリント処理未開始且つプリント処理開始可を意味する「ｏ」から、プリント処理開始不可を意味する「ｐ」に変更されると共に、ステータス情報送信部２３７によって、プリント注文受付装置１０１に送信される（ステップＳ４０２）。
【０１００】
その後、プリント情報変更部２３８によって、受信したプリント情報の変更信号に基づいて、注文情報記憶部２３３に記憶された注文情報、及び／または画像データ記憶部２３２に設けられたデータフォルダの格納内容が変更される（ステップＳ４０３）。続いて、ステータス情報記憶部２３４に記憶されている図１８のステップＳ３０３で画像データファイル群が格納されたデータフォルダのステータス情報が、ステータス情報変更部２３６によって、プリント処理未開始且つプリント処理開始不可を意味する「ｐ」から、プリント処理開始可を意味する「ｏ」に変更されると共に、ステータス情報送信部２３７によって、プリント注文受付装置１０１に送信される（ステップＳ４０４）。
【０１０１】
次いで、プリント注文受付装置１０１から送信されたプリント処理の中断を促すメッセージが記載されたテキストファイルを受信したか否かが判断される（ステップＳ４０５）。テキストファイルを受信していないと判断された場合には（ステップＳ４０５：ＮＯ）、上述のステップＳ４０１に戻って、再び変更信号を受信したか否かの判断が繰り返される。一方、テキストファイルを受信したと判断された場合には（ステップＳ４０５：ＹＥＳ）、受信したテキストファイルが中断情報記憶部２３９に記憶される。このとき、写真処理装置２０１のオペレータが、中断情報記憶部２３９に記憶されたテキストファイルを開くと、ディスプレイ２１１に、図２３に示すようなメッセージが表示される。
【０１０２】
以上のように、本実施の形態のプリントシステム１では、ステータス情報判断部２３５が、ステータス情報記憶部２３４に記憶されているステータス情報に基づいて、写真処理装置２０１の画像データ記憶部２３２に設けられたデータフォルダに含まれる画像データファイルを用いたプリント処理が開始されたか否かを判断する。したがって、プリント枚数を１以上とする注文情報が付与された画像データファイルに係るプリント情報が、プリント注文受付装置１０１から写真処理装置２０１に送信されると共に、当該プリント情報に含まれる画像データファイルが画像データ記憶部２３２に記憶され、当該プリント情報に含まれる注文情報が注文情報記憶部２３３に記憶された後に、当該プリント情報に含まれる画像データファイルが格納されたデータフォルダのステータス情報によって、当該プリント情報の変更を行うことが可能か否かをプリント注文受付装置１０１を操作している顧客に知らせることが可能となる。
【０１０３】
また、本実施の形態のプリントシステム１は、ステータス情報変更部２３６が、ステータス情報判断部２３５によってデータフォルダに格納されている画像データファイルを用いたプリント処理が開始されたと判断された場合に、ステータス情報記憶部２３４に記憶されている当該データフォルダに係るステータス情報を変更する。したがって、ステータス情報記憶部２３４に記憶されているステータス情報をプリント未開始から、プリント開始済みに変更することができる。
【０１０４】
また、本実施の形態のプリントシステム１は、プリント注文受付装置１０１の変更許可部１２８が、写真処理装置２０１に送信済みの画像データファイルを含むデータフォルダに係るプリント情報が顧客によって変更された場合に、当該データフォルダの写真処理装置２０１から送信されたステータス情報がプリント処理未開始を指示しているのであれば、プリント情報の変更信号の写真処理装置２０１への送信を許可する。そして、プリント情報変更部２３８が、プリント注文受付装置１０１から送信されたプリント情報の変更信号に基づいて、注文情報記憶部２３３に記憶された注文情報及び画像データ記憶部２３２に設けられたデータフォルダの格納内容の少なくともいずれか一方を変更する。したがって、プリント注文受付装置１０１の操作者が変更を希望するプリント情報に係る送信済みの画像データファイルが含まれるデータフォルダのステータス情報がプリント未開始を指示している場合には、写真処理装置２０１で作成されるプリントのプリント情報を変更することができる。
【０１０５】
さらに、本実施の形態のプリントシステム１では、ステータス情報判断部２３５が、データフォルダに含まれる画像データファイルを用いたプリント処理が開始されたか否か、及び、プリント注文受付装置１０１からプリント情報の変更信号が送信されたか否かを判断する。そして、ステータス情報判断部２３５によってプリント処理が開始されたと判断された場合には、ステータス情報変更部２３６が、ステータス情報記憶部２３４に記憶されているステータス情報をプリント処理開始済みに変更する。また、ステータス情報判断部２３５によってプリント注文受付装置１０１からプリント情報の変更信号が送信されたと判断された場合には、ステータス情報変更部２３６が、ステータス情報記憶部２３４に記憶されたステータス情報をプリント処理開始不可に変更する。したがって、プリント注文受付装置１０１の操作者が変更を希望するプリント情報に係るデータフォルダに含まれる画像データファイルのプリント処理が開始されないようにすることができる。
【０１０６】
加えて、本実施の形態のプリントシステム１では、画像再送信許可部１２９は、プリント注文受付装置１０１から送信された画像データファイル群を格納するデータフォルダに係るプリント情報が、顧客によって、プリント枚数の増加、プリントされる画像データファイルの追加又は補正値の増減を伴うように変更された場合に、当該データフォルダのステータス情報がプリント開始済みを指示しているのであれば、プリント情報が変更された画像データファイル群及び当該画像データファイルに係る注文情報の写真処理装置２０１への送信を許可する。そして、写真処理装置２０１の画像データ記憶部２３２が、プリント注文受付装置１０１から送信された画像データファイルを新たなフォルダに格納する。したがって、顧客が、プリント枚数の増加、プリントされる画像データファイルの追加又は補正値の増減を伴うようなプリント情報の変更を希望する場合には、当該プリント情報に係る送信済みの画像データファイルが含まれるデータフォルダのステータス情報がプリント開始済みを指示していても、新たなフォルダに格納された画像データファイルに係る写真プリントを作成することで、顧客が希望するプリント情報で写真プリントを作成することができる。
【０１０７】
また、本実施の形態のプリントシステム１では、報知判断部１３０は、プリント注文受付装置１０１から送信された画像データファイル群を格納するデータフォルダに係るプリント情報が、顧客によって変更された場合に、当該データフォルダのステータス情報がプリント開始済みを指示しているのであれば、その旨を顧客に報知するメッセージをディスプレイ１４０に表示するように、表示制御部１２３に指示を与える。したがって、既にプリント処理を開始しているので、顧客が所望するプリント情報の変更が反映されない場合があるという注意を促すことができる。
【０１０８】
さらに、本実施の形態のプリントシステム１では、ステータス情報判断部２３５が、データフォルダに含まれる画像データファイルを用いたプリント処理が開始されたか否か、及び、開始されたプリント処理が終了したか否かを判断し、ステータス情報判断部２３５によってプリント処理が開始されたと判断された、または終了したと判断された場合に、ステータス情報変更部２３６が、ステータス情報記憶部２３４に記憶されているステータス情報を変更する。そして、中断情報送信部１３１が、プリント注文受付装置１０１から送信された画像データファイル群を格納するデータフォルダに係るプリント情報が、顧客によって、プリント枚数の減少、プリント画像の削除又は補正値の増減を伴うように変更された場合に、当該データフォルダのステータス情報がプリント中を指示しているのであれば、中断情報を写真処理装置２０１に送信する。したがって、顧客が変更を希望するプリント情報に係る送信済みの画像データファイルが含まれるデータフォルダのステータス情報がプリント開始済み且つプリント未終了を指示している場合、オペレータは、プリント注文受付装置１０１から送信された情報に基づいてプリント処理を中断させることができる。これにより、例えば、顧客がプリント枚数の減少を希望する場合に、写真処理装置２０１でのプリント処理を中断させることができる。その結果、無駄な写真プリントを作成してしまうことによるコストを低減させることができる。
【０１０９】
また、本実施の形態のプリントシステム１では、写真処理装置２０１の画像データ記憶部２３２に設けられたデータフォルダのフォルダ名は、ステータス情報記憶部２３４に記憶されているステータス情報に応じて変更される。したがって、データフォルダのフォルダ名から、当該データフォルダのステータス情報を容易に確認することが可能となる。
【０１１０】
以上、本発明の好適な一実施の形態について説明したが、本発明は上述の実施の形態に限られるものではなく、特許請求の範囲に記載した限りにおいて、様々な設計変更を行うことが可能なものである。例えば、上述の実施の形態では、変更許可部１２８が、写真処理装置２０１に送信済みの画像データファイルを含むデータフォルダに係るプリント情報が顧客によって変更された場合に、当該データフォルダの写真処理装置２０１から送信されたステータス情報がプリント処理未開始を指示しているのであれば、プリント情報の変更信号の写真処理装置２０１への送信を許可し、プリント情報変更部２３８が、プリント注文受付装置１０１から送信されたプリント情報の変更信号に基づいて、注文情報記憶部２３３に記憶された注文情報及び画像データ記憶部２３２に設けられたデータフォルダの格納内容の少なくともいずれか一方を変更する場合について説明したが、これには限られない。変更許可部１２８及びプリント情報変更部２３８は、なくてもよい。
【０１１１】
また、上述の実施の形態では、ステータス情報判断部２３５が、データフォルダに含まれる画像データファイルを用いたプリント処理が開始されたか否か、開始されたプリント処理が終了したか否か、及び、プリント注文受付装置１０１からプリント情報の変更信号が送信されたか否かを判断する。そして、ステータス情報変更部２３６が、プリント処理が開始されたとステータス情報判断部２３５が判断した場合には、ステータス情報記憶部２３４に記憶されたステータス情報をプリント処理開始済みに変更すると共に、プリント処理が終了したとステータス情報判断部２３５が判断した場合には、ステータス情報記憶部２３４に記憶されたステータス情報をプリント処理済みに変更し、プリント注文受付装置１０１からプリント情報の変更信号が送信されたとステータス情報判断部２３５が判断した場合には、ステータス情報記憶部２３４に記憶されたステータス情報をプリント処理開始不可に変更する場合について説明したが、これに限らず、ステータス情報判断部２３５が、プリント処理が開始されたか否かのみを判断し、ステータス情報変更部２３６が、プリント処理が開始されたと判断された場合にのみステータス情報記憶部２３４に記憶されているステータス情報を変更するものであってもよい。また、ステータス情報変更部２３６は、なくてもよい。
【０１１２】
また、上述の実施の形態では、画像再送信許可部１２９が、プリント注文受付装置１０１から送信された画像データファイル群を格納するデータフォルダに係るプリント情報が、顧客によって、プリント枚数の増加、プリントされる画像データファイルの追加又は補正値の増減を伴うように変更された場合に、当該データフォルダのステータス情報がプリント開始済みを指示しているのであれば、プリント情報が変更された画像データファイル群及び当該画像データファイルに係る注文情報の写真処理装置２０１への送信を許可する場合について説明したが、画像再送信許可部１２９はなくてもよい。
【０１１３】
さらに、上述の実施の形態では、報知判断部１３０が、プリント注文受付装置１０１から送信された画像データファイル群を格納するデータフォルダに係るプリント情報が、顧客によって変更された場合に、当該データフォルダのステータス情報がプリント開始済みを指示しているのであれば、その旨を顧客に報知するメッセージ４７をディスプレイ１４０に表示させるように、表示制御部１２３に指示を与える場合について説明したが、これには限られない。例えば、プリント開始済みである旨を音声で報知するようにしてもよい。また、報知判断部１３０はなくてもよい。
【０１１４】
加えて、上述の実施の形態では、プリント注文受付装置１０１から送信された画像データファイル群を格納するデータフォルダに係るプリント情報が、顧客によって、プリント枚数の減少、プリント画像の削除又は補正値の増減を伴うように変更された場合に、当該データフォルダのステータス情報がプリント中を指示しているのであれば、中断情報送信部１３１が、中断情報を写真処理装置２０１に送信する場合について説明したが、中断情報送信部１３１はなくてもよい。
【０１１５】
また、上述の実施の形態では、写真処理装置２０１の画像データ記憶部２３２に設けられたデータフォルダのフォルダ名が、ステータス情報記憶部２３４に記憶されているステータス情報に応じて変更される場合について説明したが、これには限られない。例えば、ステータス情報記憶部２３４が設けられておらず、単に画像データ記憶部２３２に設けられた各データフォルダのフォルダ名がステータス情報を反映しているだけであってもよい。この場合、画像データ記憶部２３２がステータス情報を記憶していることになる。
【０１１６】
さらに、上述の実施の形態では、顧客が、注文画面４０を別の注文画面４０に切り換えるための操作を行った際に、プリント情報送信部１２７が、操作が行われた時点でディスプレイ１４０に表示されていた注文画面４０に含まれる８コマのサムネイル画像のうち、プリント枚数を１以上とする注文情報が付与されたサムネイル画像に係るプリント情報を写真処理装置２０１に送信する場合について説明したが、これには限られない。プリント情報送信部１２７は、確認画面６０のＯＫボタン６１が押されて注文が確定される前に、プリント枚数を１以上とする注文情報が付与された少なくとも１つのサムネイル画像に係るプリント情報を写真処理装置２０１に送信すればよい。
【０１１７】
加えて、上述の実施の形態では、プリント情報送信部１２７が、プリント枚数を１以上とする注文情報が付与されたサムネイル画像に係るプリント情報を写真処理装置２０１に送信する場合について説明したが、これに限らず、プリント情報送信部１２７が、プリント枚数を１以上とする注文情報が付与されたサムネイル画像に加えて、プリント枚数を０とする注文情報が付与されたサムネイル画像に係る画像データファイルを写真処理装置２０１に送信するようにしてもよい。この場合、画像データ記憶部２３２に設けられたデータフォルダには、プリント枚数を１以上とする注文情報が付与されたサムネイル画像に加えて、プリント枚数を０とする注文情報が付与されたサムネイル画像に係る画像データファイルが格納される。
【０１１８】
また、上述の実施の形態では、ディスプレイ１４０の表面にタッチパネル１４１が形成されており、顧客がタッチパネル１４１に触れることによって、プリント注文受付装置１０１に対して、注文情報の入力及びディスプレイ１４０に表示されている注文画面４０を別の注文画面４０に切り換えるための操作を行う場合について説明したが、プリント注文受付装置１０１への注文情報の入力及び注文画面４０を切り換えるための操作方法はこれには限られない。例えば、キーボードやマウスを用いてプリント注文受付装置１０１への注文情報の入力及び注文画面４０を切り換えるための操作を行うようにしてもよい。
【０１１９】
また、上述の実施の形態では、注文画面４０に同時に表示される複数のサムネイル画像に係る画像データファイル群（プリント情報送信部１２７によって一括送信される画像データファイル群）が１つのデータフォルダに格納される場合について説明したが、これには限られない。例えば、１つの画像データファイルが１つのデータフォルダに格納されてもよい。
【０１２０】
さらに、上述の実施の形態では、写真処理装置２０１のプリンタプロセッサ２５０において、露光・現像・漂白・安定化・乾燥などの処理を経て画像を形成し、写真プリントを作成する場合について説明したが、画像を形成する方法はこれには限られない。例えば、インクジェット式のプリンタで画像を形成するようにしてもよい。
【０１２１】
また、上述の実施の形態では、データ伝送ネットワーク３０１により写真処理装置２０１と接続されており、写真処理装置２０１と共にプリントシステム１を構築するプリント注文受付装置１０１について説明したが、プリント注文受付装置１０１は、プリンタが内蔵された独立型のものであってもよい。
【図面の簡単な説明】
【０１２２】
【図１】本発明の一実施の形態に係るプリントシステムの概略構成を示す図である。
【図２】図１に示すプリント注文受付装置の概略構成を示す図である。
【図３】図２に示すコントローラの主要部の構成を示すブロック図である。
【図４】図１に示す写真処理装置の概略構成を示す図である。
【図５】図４に示すコントローラの主要部の構成を示すブロック図である。
【図６Ａ】図２に示すプリント注文受付装置において写真プリントの注文を受ける手順を示すフローチャート（前半）である。
【図６Ｂ】図２に示すプリント注文受付装置において写真プリントの注文を受ける手順を示すフローチャート（後半）である。
【図６Ｃ】図２に示すプリント注文受付装置において写真プリントの注文を受け付ける手順、特に顧客によってプリント情報の変更が行われた際の手順を示すフローチャートである。
【図７】図６に示すフローチャート中で行われる割り込み処理の手順を示すフローチャートである。
【図８】図２に示すディスプレイに表示される初期画面を示す図である。
【図９】図２に示すディスプレイに表示されるメディアセット案内画面を示す図である。
【図１０】図２に示すディスプレイに表示されるプリントサイズ選択画面を示す図である。
【図１１】図２に示すディスプレイに表示される注文画面を示す図である。
【図１２】図２に示すディスプレイに表示される注文画面（最終ページ）を示す図である。
【図１３】図１１に示す注文画面に含まれるサムネイル画像に係る画像データファイルのプリント処理が開始済みであることを顧客に報知するメッセージを示す図である。
【図１４】図２に示すディスプレイに表示される名前入力画面を示す図である。
【図１５】図２に示すディスプレイに表示される注文内容確認画面を示す図である。
【図１６】図２に示すディスプレイに表示される受付証発行画面を示す図である。
【図１７】図３に示す画像データ記憶部のディレクトリ構成を示す説明図である。
【図１８】図４に示す写真処理装置において写真プリントを作成する手順を示すフローチャートである。
【図１９】図１８に示すフローチャート中に行われる割り込み処理の手順を示すフローチャートである。
【図２０】図５に示す画像データ記憶部のディレクトリ構成を示す説明図である。
【図２１】図５に示す画像データ記憶部に設けられたデータフォルダに画像データファイルを追加する場合の説明図である。
【図２２】図２０に示すディレクトリ構成に、新たなフォルダが設けられた場合、及びテキストファイルが追加された場合の説明図である。
【図２３】図４に示すディスプレイに表示されるプリント処理の中断を促すメッセージを示す図である。
【符号の説明】
【０１２３】
１  プリントシステム
４０  注文画面
１０１  プリント注文受付装置
１２３  表示制御部（報知手段）
１２７  プリント情報送信部（制御手段）
１３０  報知判断部（報知手段）
１４０  ディスプレイ（報知手段）
１４１  タッチパネル（入力部）
１５０  メディアドライブ（読み出し部）
２０１  写真処理装置
２３２  画像データ記憶部（画像データ記憶手段）
２３３  注文情報記憶部（注文情報記憶手段）
２３４  ステータス情報記憶部（ステータス情報記憶手段）
２３５  ステータス情報判断部（判断部）
２３６  ステータス情報変更部（ステータス情報変更手段）
２３８  プリント情報変更部（プリント情報変更手段）
【図１】
2006284650.tif 000003
【図２】
2006284650.tif 000004
【図３】
2006284650.tif 000005
【図４】
2006284650.tif 000006
【図５】
2006284650.tif 000007
【図６Ａ】
2006284650.tif 000008
【図６Ｂ】
2006284650.tif 000009
【図６Ｃ】
2006284650.tif 000010
【図７】
2006284650.tif 000011
【図８】
2006284650.tif 000012
【図９】
2006284650.tif 000013
【図１０】
2006284650.tif 000014
【図１１】
2006284650.tif 000015
【図１２】
2006284650.tif 000016
【図１３】
2006284650.tif 000017
【図１４】
2006284650.tif 000018
【図１５】
2006284650.tif 000019
【図１６】
2006284650.tif 000020
【図１７】
2006284650.tif 000021
【図１８】
2006284650.tif 000022
【図１９】
2006284650.tif 000023
【図２０】
2006284650.tif 000024
【図２１】
2006284650.tif 000025
【図２２】
2006284650.tif 000026
【図２３】
2006284650.tif 000027